(57)【特許請求の範囲】
【請求項１】
放送受信装置で受信したテレビ放送の電波強度、当該テレビ放送の物理チャンネル、当該物理チャンネルに割り当てられた論理チャンネル、及び、当該放送受信装置の位置情報、を含む放送受信情報を取得する放送受信情報取得手段と、
前記取得した放送受信情報に基づいて、所定領域における、論理チャンネルに対する最適な物理チャンネルを規定したチャンネルリストを作成するチャンネルリスト作成手段と、
前記作成したチャンネルリストを、前記所定領域毎に記憶するチャンネルリストマップ記憶手段と、
放送受信装置から送信される、当該放送受信装置の位置情報を含む、チャンネルリストの要求を受信する要求受信手段と、
前記要求を受信した放送受信装置に対して、当該要求に含まれる位置情報に対応するチャンネルリストを送信するチャンネルリスト送信手段と、
前記チャンネルリストマップ記憶手段に記憶されたチャンネルリストが更新された場合、更新前のチャンネルリストを送信した放送受信装置に対して、チャンネルリストが更新されたことを通知する更新通知手段と、
を具備したことを特徴とするチャンネルリスト提供サーバ。
【請求項２】
前記チャンネルリスト作成手段は、同一の論理チャンネルが割り当てられた物理チャンネルが複数存在する場合、当該各物理チャンネルの電波強度に基づいて、当該論理チャンネルに対する最適な物理チャンネルを決定する、
ことを特徴とする請求項１に記載のチャンネルリスト提供サーバ。
【請求項３】
前記放送受信情報取得手段は、放送受信装置が無線通信を行う基地局の基地局識別情報を、前記放送受信情報に含まれる位置情報として取得し、
前記チャンネルリスト作成手段は、同一の基地局と無線通信を行う放送受信装置は同一の所定領域内に位置するものとして、基地局識別情報毎にチャンネルリストを作成する、ことを特徴とする請求項１、又は請求項２に記載のチャンネルリスト提供サーバ。
【請求項４】
前記チャンネルリスト作成手段は、前記物理チャンネルの電波強度を含めて前記チャンネルリストを作成する、
ことを特徴とする請求項１から請求項３のうちのいずれか１の請求項に記載のチャンネルリスト提供サーバ。
【請求項５】
放送受信装置で受信したテレビ放送の電波強度、当該テレビ放送の物理チャンネル、当該物理チャンネルに割り当てられた論理チャンネル、及び、当該放送受信装置の位置情報、を含む放送受信情報を取得する放送受信情報取得機能と、
前記取得した放送受信情報に基づいて、所定領域における、論理チャンネルに対する最適な物理チャンネルを規定したチャンネルリストを作成するチャンネルリスト作成機能と、
前記作成したチャンネルリストを、前記所定領域毎にチャンネルリストマップ記憶手段に記憶させる記憶機能と、
放送受信装置から送信される、当該放送受信装置の位置情報を含む、チャンネルリストの要求を受信する要求受信機能と、
前記要求を受信した放送受信装置に対して、当該要求に含まれる位置情報に対応するチャンネルリストを送信するチャンネルリスト送信機能と、
前記チャンネルリストマップ記憶手段に記憶されたチャンネルリストが更新された場合、更新前のチャンネルリストを送信した放送受信装置に対して、チャンネルリストが更新されたことを通知する更新通知機能と、
をコンピュータに実現させるチャンネルリスト提供プログラム。
【請求項６】
論理チャンネルに対応する物理チャンネルが規定されたチャンネルリストに従い、ユーザが指定した論理チャンネルに対応する物理チャンネルのテレビ放送を受信して視聴可能にする放送受信装置であって、
自装置の位置情報を取得する位置情報取得手段と、
前記取得した位置情報を含む、当該位置情報に対応するチャンネルリストの要求をチャンネルリスト提供サーバに送信するチャンネルリスト要求手段と、
前記チャンネルリスト要求手段の送信に基づき前記チャンネルリスト提供サーバから送信されるチャンネルリストを受信するチャンネルリスト受信手段と、
前記受信したチャンネルリストを記憶するチャンネルリスト記憶手段と、
チャンネルリスト提供サーバから、チャンネルリストが更新された旨の通知を受信する更新受信手段を備え、
前記チャンネルリスト要求手段は、前記更新されたチャンネルリストが、チャンネルリスト記憶手段に記憶したチャンネルリストである場合に、チャンネルリストの要求を送信する、
ことを特徴とする放送受信装置。
【請求項７】
論理チャンネルに対応する物理チャンネルが規定されたチャンネルリストに従い、ユーザが指定した論理チャンネルに対応する物理チャンネルのテレビ放送を受信して視聴可能にする放送受信装置であって、
自装置の位置情報を取得する位置情報取得手段と、
前記取得した位置情報を含む、当該位置情報に対応するチャンネルリストの要求をチャンネルリスト提供サーバに送信するチャンネルリスト要求手段と、
前記チャンネルリスト要求手段の送信に基づき前記チャンネルリスト提供サーバから送信されるチャンネルリストを受信するチャンネルリスト受信手段と、
前記受信したチャンネルリストを記憶するチャンネルリスト記憶手段と、を具備し、
前記チャンネルリスト受信手段は、前記物理チャンネルの電波強度を含めて作成されたチャンネルリストをチャンネルリスト提供サーバから受信する、
ことを特徴とする放送受信装置。
【請求項８】
論理チャンネルに対応する物理チャンネルが規定されたチャンネルリストに従い、ユーザが指定した論理チャンネルに対応する物理チャンネルのテレビ放送を受信して視聴可能にする放送受信装置であって、
自装置の位置情報を取得する位置情報取得手段と、
前記取得した位置情報を含む、当該位置情報に対応するチャンネルリストの要求をチャンネルリスト提供サーバに送信するチャンネルリスト要求手段と、
前記チャンネルリスト要求手段の送信に基づき前記チャンネルリスト提供サーバから送信されるチャンネルリストを受信するチャンネルリスト受信手段と、
前記受信したチャンネルリストを記憶するチャンネルリスト記憶手段と、
視聴中のテレビ放送の電波強度を検出する電波強度検出手段と、
前記検出した電波強度を、当該テレビ放送の物理チャンネルの電波強度として、前記チャンネルリスト記憶手段に記憶したチャンネルリストを更新する電波強度更新手段と、
を具備したことを特徴とする放送受信装置。
【請求項９】
自装置が初期状態か否かを判断する初期状態判断手段を備え、
前記チャンネルリスト要求手段は、前記初期状態であると判断された場合に、チャンネルリストの要求を前記チャンネルリスト提供サーバに送信する、
ことを特徴とする請求項６、請求項７、又は請求項８に記載の放送受信装置。
【請求項１０】
視聴中のテレビ放送に電波強度が所定閾値以下か否かを判断する電波強度判断手段と、
前記チャンネルリスト要求手段は、前記電波強度が所定閾値以下と判断された場合に、チャンネルリストの要求を前記チャンネルリスト提供サーバに送信する、
ことを特徴とする請求項６、請求項７、請求項８、又は請求項９に記載の放送受信装置。
【請求項１１】
前記チャンネルリスト要求手段は、自装置が無線通信を行う基地局の基地局識別情報を前記位置情報とする、
ことを特徴とする請求項６から請求項１０のうちのいずれか１の請求項に記載の放送受信装置。
【請求項１２】
受信したテレビ放送の電波強度、当該テレビ放送の物理チャンネルと当該物理チャンネルに割り当てられた論理チャンネルを特定可能なチャンネル情報、及び、前記位置情報取得手段で取得した位置情報、を含む放送受信情報を、チャンネルリスト提供サーバに送信する放送受信情報送信手段と、
を備えることを特徴とする請求項６から請求項１１のうちのいずれか１の請求項に記載の放送受信装置。
【請求項１３】
物理チャンネルに対するチャンネルサーチを順次行うことで、各物理チャンネルに対する電波強度を取得するチャンネルサーチ手段を備え、
前記放送受信情報送信手段は、前記チャンネルサーチ手段のチャンネルサーチ結果に基づいて前記放送受信情報を送信する、
ことを特徴とする請求項１２に記載の放送受信装置。
【請求項１４】
論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、
自装置の位置情報を取得する位置情報取得機能と、
前記取得した位置情報と当該位置情報に対応するチャンネルリストの要求をチャンネルリスト提供サーバに送信するチャンネルリスト要求機能と、
前記チャンネルリスト要求機能による送信に基づき前記チャンネルリスト提供サーバから送信されるチャンネルリストを受信するチャンネルリスト受信機能と、
前記受信したチャンネルリストをチャンネルリスト記憶手段に記憶させる記憶機能と、
チャンネルリスト提供サーバから、チャンネルリストが更新された旨の通知を受信する更新受信機能と、
を放送受信装置のコンピュータに実現させ、
前記チャンネルリスト要求機能は、前記更新されたチャンネルリストが、チャンネルリスト記憶手段に記憶したチャンネルリストである場合に、チャンネルリストの要求を送信する、
ことを特徴とするチャンネルリスト取得プログラム。
【請求項１５】
論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、
自装置の位置情報を取得する位置情報取得機能と、
前記取得した位置情報と当該位置情報に対応するチャンネルリストの要求をチャンネルリスト提供サーバに送信するチャンネルリスト要求機能と、
前記チャンネルリスト要求機能による送信に基づき前記チャンネルリスト提供サーバから送信されるチャンネルリストを受信するチャンネルリスト受信機能と、
前記受信したチャンネルリストをチャンネルリスト記憶手段に記憶させる記憶機能と、
を放送受信装置のコンピュータに実現させ、
前記チャンネルリスト受信機能は、前記物理チャンネルの電波強度を含めて作成されたチャンネルリストをチャンネルリスト提供サーバから受信する、
ことを特徴とするチャンネルリスト取得プログラム。
【請求項１６】
論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、
自装置の位置情報を取得する位置情報取得機能と、
前記取得した位置情報と当該位置情報に対応するチャンネルリストの要求をチャンネルリスト提供サーバに送信するチャンネルリスト要求機能と、
前記チャンネルリスト要求機能による送信に基づき前記チャンネルリスト提供サーバから送信されるチャンネルリストを受信するチャンネルリスト受信機能と、
前記受信したチャンネルリストをチャンネルリスト記憶手段に記憶させる記憶機能と、
視聴中のテレビ放送の電波強度を検出する電波強度検出機能と、
前記検出した電波強度を、当該テレビ放送の物理チャンネルの電波強度として、前記チャンネルリスト記憶手段に記憶したチャンネルリストを更新する電波強度更新機能と、
を放送受信装置のコンピュータに実現させるチャンネルリスト取得プログラム。
【発明の詳細な説明】
【技術分野】
【０００１】
本発明は、放送受信装置の位置に応じた最適な物理チャンネルの取得、提供に関する。
【背景技術】
【０００２】
地上デジタルテレビ放送の電波を受信し、受信した画像や音声を出力するテレビ受像機などの放送受信装置が広く普及している。
地デジのテレビ放送は、１３〜６２の物理チャンネルが存在し、各物理チャンネルにはそれぞれ対応する放送周波数が決められている。そして、放送データが送信されるテレビ塔（送信局、中継局）毎に、テレビのリモコンチャンネル（論理チャンネル）に対して、物理チャンネルが割り当てられている。
このような放送受信装置では、テレビ視聴をするため、オートサーチ機能によりチャンネル登録設定が行われる。このチャンネル登録設定は、ユーザ地域を指定することで地域に応じた論理チャンネルと物理チャンネルとの対応をリスト化して登録するものである。すなわち、放送受信装置は、指定された地域で受信可能な物理チャンネルを順次サーチし、受信した放送データから論理チャンネルを取得することで、各論理チャンネルに対応する物理チャンネルを規定したチャンネルリストを作成、保存する。これにより、例えば東京でＮＨＫの番組を視聴する場合、放送受信装置のチューナでは、チャンネルリストによりＮＨＫ（論理チャンネル：ＣＨ１）に対応する物理チャンネルｃｈ２７の周波数を選択的に受信することになる。
【０００３】
しかし、従来の放送受信装置におけるチャンネル登録設定は、テレビ視聴場所の電波強度に関係なくユーザが指定した位置情報（郵便番号や都道府県の入力）により受信地域を設定している。
図１１は、千葉県における電波の受信の様子を例示したものである。この図に示すように、千葉県ではテレビ塔１（スカイツリー）からの電波と、テレビ塔２（銚子）からの電波を受信可能である。そして、図１１（ａ）に示すように、放送受信装置の位置によっては、テレビ塔２からの電波が強い場合と、（ｂ）に示すように同じ千葉県内であってもテレビ塔１からの電波が強い場合がある。
このように視聴地域によっては、複数のテレビ放送中継局からの電波を受信可能であるにもかかわらず、必ずしも受信地域に設定したチャンネルリストの設定（周波数リスト）でのテレビ視聴が最適であるとは限らなかった。
【０００４】
また、放送受信装置の移動などにより電波強度が移動前に比べて悪化した場合、ＦＭチューナの電波情報をもとに、同一系列のより電波強度が高い周波数に自動で切替ることでテレビ視聴を継続している。
しかし、視聴しながらオートサーチ機能を使用するためには、「視聴用のチューナ」と「常時チャンネルサーチをするためのチューナ」の複数を搭載する必要があり、コストと本体サイズを抑えることができない。
また、郵便番号や都道府県入力による受信地域設定は、移動や放送中継局の新設など、刻々と変化するテレビ放送中継局に対応することや、県境など、複数の放送局のテレビ電波を受信する地域での最適な受信設定が困難であり、より良いチャンネルを的確に選択することができなかった。
【先行技術文献】
【特許文献】
【０００５】
【特許文献１】特開２００６−３３３１８０号公報
【発明の概要】
【発明が解決しようとする課題】
【０００６】
本発明は、より最適なチャンネル登録を簡易な構成で実現することを目的とする。
【課題を解決するための手段】
【０００７】
（１）請求項１に記載の発明では、放送受信装置で受信したテレビ放送の電波強度、当該テレビ放送の物理チャンネル、当該物理チャンネルに割り当てられた論理チャンネル、及び、当該放送受信装置の位置情報、を含む放送受信情報を取得する放送受信情報取得手段と、前記取得した放送受信情報に基づいて、所定領域における、論理チャンネルに対する最適な物理チャンネルを規定したチャンネルリストを作成するチャンネルリスト作成手段と、前記作成したチャンネルリストを、前記所定領域毎に記憶するチャンネルリストマップ記憶手段と、放送受信装置から送信される、当該放送受信装置の位置情報を含む、チャンネルリストの要求を受信する要求受信手段と、前記要求を受信した放送受信装置に対して、当該要求に含まれる位置情報に対応するチャンネルリストを送信するチャンネルリスト送信手段と、前記チャンネルリストマップ記憶手段に記憶されたチャンネルリストが更新された場合、更新前のチャンネルリストを送信した放送受信装置に対して、チャンネルリストが更新されたことを通知する更新通知手段と、を具備したことを特徴とするチャンネルリスト提供サーバを提供する。
（２）請求項２に記載の発明では、前記チャンネルリスト作成手段は、同一の論理チャンネルが割り当てられた物理チャンネルが複数存在する場合、当該各物理チャンネルの電波強度に基づいて、当該論理チャンネルに対する最適な物理チャンネルを決定する、ことを特徴とする請求項１に記載のチャンネルリスト提供サーバを提供する。
（３）請求項３に記載の発明では、前記放送受信情報取得手段は、放送受信装置が無線通信を行う基地局の基地局識別情報を、前記放送受信情報に含まれる位置情報として取得し、前記チャンネルリスト作成手段は、同一の基地局と無線通信を行う放送受信装置は同一の所定領域内に位置するものとして、基地局識別情報毎にチャンネルリストを作成する、ことを特徴とする請求項１、又は請求項２に記載のチャンネルリスト提供サーバを提供する。
（４）請求項４に記載の発明では、前記チャンネルリスト作成手段は、前記物理チャンネルの電波強度を含めて前記チャンネルリストを作成する、ことを特徴とする請求項１から請求項３のうちのいずれか１の請求項に記載のチャンネルリスト提供サーバを提供する。
（５）請求項５に記載の発明では、放送受信装置で受信したテレビ放送の電波強度、当該テレビ放送の物理チャンネル、当該物理チャンネルに割り当てられた論理チャンネル、及び、当該放送受信装置の位置情報、を含む放送受信情報を取得する放送受信情報取得機能と、前記取得した放送受信情報に基づいて、所定領域における、論理チャンネルに対する最適な物理チャンネルを規定したチャンネルリストを作成するチャンネルリスト作成機能と、前記作成したチャンネルリストを、前記所定領域毎にチャンネルリストマップ記憶手段に記憶させる記憶機能と、放送受信装置から送信される、当該放送受信装置の位置情報を含む、チャンネルリストの要求を受信する要求受信機能と、前記要求を受信した放送受信装置に対して、当該要求に含まれる位置情報に対応するチャンネルリストを送信するチャンネルリスト送信機能と、前記チャンネルリストマップ記憶手段に記憶されたチャンネルリストが更新された場合、更新前のチャンネルリストを送信した放送受信装置に対して、チャンネルリストが更新されたことを通知する更新通知機能と、をコンピュータに実現させるチャンネルリスト提供プログラムを提供する。
（６）請求項６に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置であって、自装置の位置情報を取得する位置情報取得手段と、前記取得した位置情報を含む、当該位置情報に対応するチャンネルリストの要求をチャンネルリスト提供サーバに送信するチャンネルリスト要求手段と、前記チャンネルリスト要求手段の送信に基づき前記チャンネルリスト提供サーバから送信されるチャンネルリストを受信するチャンネルリスト受信手段と、前記受信したチャンネルリストを記憶するチャンネルリスト記憶手段と、チャンネルリスト提供サーバから、チャンネルリストが更新された旨の通知を受信する更新受信手段を備え、前記チャンネルリスト要求手段は、前記更新されたチャンネルリストが、チャンネルリスト記憶手段に記憶したチャンネルリストである場合に、チャンネルリストの要求を送信する、ことを特徴とする放送受信装置を提供する。
（７）請求項７に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置であって、自装置の位置情報を取得する位置情報取得手段と、前記取得した位置情報を含む、当該位置情報に対応するチャンネルリストの要求をチャンネルリスト提供サーバに送信するチャンネルリスト要求手段と、前記チャンネルリスト要求手段の送信に基づき前記チャンネルリスト提供サーバから送信されるチャンネルリストを受信するチャンネルリスト受信手段と、前記受信したチャンネルリストを記憶するチャンネルリスト記憶手段と、を具備し、前記チャンネルリスト受信手段は、前記物理チャンネルの電波強度を含めて作成されたチャンネルリストをチャンネルリスト提供サーバから受信する、ことを特徴とする放送受信装置を提供する。
（８）請求項８に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置であって、自装置の位置情報を取得する位置情報取得手段と、前記取得した位置情報を含む、当該位置情報に対応するチャンネルリストの要求をチャンネルリスト提供サーバに送信するチャンネルリスト要求手段と、前記チャンネルリスト要求手段の送信に基づき前記チャンネルリスト提供サーバから送信されるチャンネルリストを受信するチャンネルリスト受信手段と、前記受信したチャンネルリストを記憶するチャンネルリスト記憶手段と、視聴中のテレビ放送の電波強度を検出する電波強度検出手段と、前記検出した電波強度を、当該テレビ放送の物理チャンネルの電波強度として、前記チャンネルリスト記憶手段に記憶したチャンネルリストを更新する電波強度更新手段と、を具備したことを特徴とする放送受信装置を提供する。
（９）請求項９に記載の発明では、自装置が初期状態か否かを判断する初期状態判断手段を備え、前記チャンネルリスト要求手段は、前記初期状態であると判断された場合に、チャンネルリストの要求を前記チャンネルリスト提供サーバに送信する、ことを特徴とする請求項６、請求項７、又は請求項８に記載の放送受信装置を提供する。
（１０）請求項１０に記載の発明では、視聴中のテレビ放送に電波強度が所定閾値以下か否かを判断する電波強度判断手段と、前記チャンネルリスト要求手段は、前記電波強度が所定閾値以下と判断された場合に、チャンネルリストの要求を前記チャンネルリスト提供サーバに送信する、ことを特徴とする請求項６、請求項７、請求項８、又は請求項９に記載の放送受信装置を提供する。
（１１）請求項１１に記載の発明では、前記チャンネルリスト要求手段は、自装置が無線通信を行う基地局の基地局識別情報を前記位置情報とする、ことを特徴とする請求項６から請求項１０のうちのいずれか１の請求項に記載の放送受信装置を提供する。
（１２）請求項１２に記載の発明では、受信したテレビ放送の電波強度、当該テレビ放送の物理チャンネルと当該物理チャンネルに割り当てられた論理チャンネルを特定可能なチャンネル情報、及び、前記位置情報取得手段で取得した位置情報、を含む放送受信情報を、チャンネルリスト提供サーバに送信する放送受信情報送信手段と、を備えることを特徴とする請求項６から請求項１１のうちのいずれか１の請求項に記載の放送受信装置を提供する。
（１３）請求項１３に記載の発明では、物理チャンネルに対するチャンネルサーチを順次行うことで、各物理チャンネルに対する電波強度を取得するチャンネルサーチ手段を備え、前記放送受信情報送信手段は、前記チャンネルサーチ手段のチャンネルサーチ結果に基づいて前記放送受信情報を送信する、ことを特徴とする請求項１２に記載の放送受信装置を提供する。
（１４）請求項１４に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、自装置の位置情報を取得する位置情報取得機能と、前記取得した位置情報と当該位置情報に対応するチャンネルリストの要求をチャンネルリスト提供サーバに送信するチャンネルリスト要求機能と、前記チャンネルリスト要求機能による送信に基づき前記チャンネルリスト提供サーバから送信されるチャンネルリストを受信するチャンネルリスト受信機能と、前記受信したチャンネルリストをチャンネルリスト記憶手段に記憶させる記憶機能と、チャンネルリスト提供サーバから、チャンネルリストが更新された旨の通知を受信する更新受信機能と、を放送受信装置のコンピュータに実現させ、前記チャンネルリスト要求機能は、前記更新されたチャンネルリストが、チャンネルリスト記憶手段に記憶したチャンネルリストである場合に、チャンネルリストの要求を送信する、ことを特徴とするチャンネルリスト取得プログラムを提供する。
（１５）請求項１５に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、自装置の位置情報を取得する位置情報取得機能と、前記取得した位置情報と当該位置情報に対応するチャンネルリストの要求をチャンネルリスト提供サーバに送信するチャンネルリスト要求機能と、前記チャンネルリスト要求機能による送信に基づき前記チャンネルリスト提供サーバから送信されるチャンネルリストを受信するチャンネルリスト受信機能と、前記受信したチャンネルリストをチャンネルリスト記憶手段に記憶させる記憶機能と、を放送受信装置のコンピュータに実現させ、前記チャンネルリスト受信機能は、前記物理チャンネルの電波強度を含めて作成されたチャンネルリストをチャンネルリスト提供サーバから受信する、ことを特徴とするチャンネルリスト取得プログラムを提供する。
（１６）請求項１６に記載の発明では、論理チャンネルに対応する物理チャンネルが規定されたチャンネルリストに従い、ユーザが指定した論理チャンネルに対応する物理チャンネルのテレビ放送を受信して視聴可能にする放送受信装置のチャンネルリスト取得プログラムであって、自装置の位置情報を取得する位置情報取得機能と、前記取得した位置情報と当該位置情報に対応するチャンネルリストの要求をチャンネルリスト提供サーバに送信するチャンネルリスト要求機能と、前記チャンネルリスト要求機能による送信に基づき前記チャンネルリスト提供サーバから送信されるチャンネルリストを受信するチャンネルリスト受信機能と、前記受信したチャンネルリストをチャンネルリスト記憶手段に記憶させる記憶機能と、視聴中のテレビ放送の電波強度を検出する電波強度検出機能と、前記検出した電波強度を、当該テレビ放送の物理チャンネルの電波強度として、前記チャンネルリスト記憶手段に記憶したチャンネルリストを更新する電波強度更新機能と、を放送受信装置のコンピュータに実現させるチャンネルリスト取得プログラムを提供する。
【発明の効果】
【０００８】
本発明によれば、より最適なチャンネル登録を簡易な構成で実現することができる。
【図面の簡単な説明】
【０００９】
【図１】本実施形態が適用される放送受信に関するシステムの全体構成と、テレビ塔と基地局の通信領域を表した説明図である。
【図２】放送受信装置の構成図である。
【図３】チャンネルリストの説明図である。
【図４】チャンネルリスト提供サーバの構成図である。
【図５】チャンネルリストマップの説明図である。
【図６】チャンネルリストマップ作成処理のフローチャートである。
【図７】チャンネルリスト取得処理（初期）のフローチャートである。
【図８】チャンネルリスト取得処理（電波強度悪化）のフローチャートである。
【図９】チャンネルリストに保存される電波強度の変化と、リストの更新について表した説明図である。
【図１０】第２実施形態におけるチャンネルリスト提供処理のフローチャートである。
【図１１】テレビ塔から受信する放送データの受信位置による電波強度の強弱についての説明図である。
【発明を実施するための形態】
【００１０】
以下、本発明の放送受信装置における好適な実施形態について、図１から図１０を参照して詳細に説明する。
（１）実施形態の概要
図１は、放送受信に関するシステムの全体構成と、テレビ塔と基地局の通信領域を表した説明図である。
本実施形態の放送受信に関するシステムは、図１（ａ）に示すように、テレビ塔から放送データ（テレビ放送）を受信して各チャンネル（論理チャンネル）の番組を視聴可能にする放送受信装置１と、放送受信装置１から位置情報と放送データの電波強度を受信することでチャンネルリストマップを作成すると共に作成したチャンネルリストを放送受信装置１に提供するチャンネルリスト提供サーバ８０を備えている。
【００１１】
放送受信装置１は、３Ｇ／４Ｇ（モバイル通信における通信規格）の基地局情報（基地局ＩＤ）によるテレビ視聴位置情報とテレビ電波強度を含む視聴情報（放送受信情報）を作成し、チャンネルリスト提供サーバ８０に送信する。この視聴情報は、ユーザが視聴していない時間を利用してチャンネルサーチを行うことで自動的に作成する。
チャンネルリスト提供サーバ８０は、各放送受信装置１から受信する視聴情報に基づいて、チャンネルリストマップを作成、及び、更新する。チャンネルリストは、特定地点における、各論理チャンネルに対して受信可能な物理チャンネルのうち最も電波強度が強い物理チャンネルを規定したもので、チャンネルリストマップは各特定地域毎のチャンネルリストを纏めたものである。
チャンネルリスト提供サーバ８０は、放送受信装置１からの要求に基づいて、当該放送受信装置１の視聴位置に応じた最適なチャンネルリストを放送受信装置１に提供する。
また、放送受信装置１が移動した場合や、放送受信装置１周辺の環境変化（例えば、ビルの建設等）により、受信している電波強度が悪化した場合に、当該放送受信装置１からの要求に基づいて、最新のチャンネルリストを放送受信装置１に提供する。そのためにも、チャンネルリスト提供サーバ８０は、中継局追加、県境などによる電波強度の変化を各放送受信装置１から送信される視聴情報に基づいて、チャンネルリストマップを最新の状態に更新する。
【００１２】
また、チャンネルリスト提供サーバ８０は、各放送受信装置１から受信する視聴情報により、チャンネルリストが更新された場合、すなわち、論理チャンネルに対する物理チャンネルが変化した場合に、当該チャンネルリストが更新されたことを当該チャンネルリストに対応する特定地域内の放送受信装置１が識別可能に提供する。この提供に基づいて放送受信装置１からチャンネルリストの要求があれば、チャンネルリスト提供サーバ８０は更新されたチャンネルリストを提供する。
【００１３】
このように、放送受信装置１に対して、その位置に応じた最適のチャンネルリストをチャンネルリスト提供サーバ８０が提供するので、放送受信装置１は、単一チューナを備えることで、容易にチャンネルリストを取得することができる。また、移動等により電波強度が低下した場合であっても、チャンネルサーチをすることなく、且つ、ユーザによるテレビ放送の視聴を継続したまま、最適なチャンネルリストに変更することで、安定したテレビ視聴が可能になる。
【００１４】
（２）実施形態の詳細
図１（ａ）は、本実施形態が適用される放送受信に関するシステムの全体構成を表したものである。
放送受信に関するシステムは、各テレビ局からの放送データを規定された物理チャンネルで送信するテレビ塔、この放送データを受信して視聴可能に表示する放送受信装置１、チャンネルリストの作成、更新及び提供を行うチャンネルリスト提供サーバ８０、放送受信装置１とチャンネルリスト提供サーバ８０間で３Ｇ／４Ｇ通信を行うための基地局で構成される。
なお、放送受信装置１は、スマホ等の各種端末装置９０との間でＷｉ−Ｆｉによる無線通信が可能になっていて、受信した放送データをリアルタイム又は録画して端末装置９０に提供することで、端末装置９０でも視聴可能になっている。
【００１５】
図１（ｂ）は、テレビ塔による通信と３Ｇ／４Ｇ通信の基地局の通信領域を表した説明図である。
本実施形態では放送受信装置１の位置情報として３Ｇ／４Ｇ通信の基地局の通信範囲を使用し、具体的には各基地局を識別するための基地局ＩＤにチャンネルリストを対応付けている。
図１（ｂ）に示すように、テレビ塔１、２、…による放送データの送信範囲が２０ｋｍ以上であるのに比べ、各基地局Ａ、Ｂ〜の通信領域は５ｋｍ程度と領域が狭い範囲であるので、同一基地局内であれば受信する電波強度はほぼ同一である。このため、本実施形態では、各放送受信装置１が通信で使用している基地局ＩＤを特定することで、当該放送受信装置１の位置を特定すると共に、チャンネルリスト提供サーバ８０は基地局ＩＤ毎のチャンネルリストを作成する。
【００１６】
図２は、放送受信装置１の構成を表したものである。
図２に示すように、放送受信装置１は、各種制御を行う制御部１０を備えている。制御部１０は、放送受信制御、外部装置との通信制御、本実施形態における視聴情報送信制御やチャンネルリスト取得制御、その他の各種制御をプログラムに従って行うＣＰＵと、基本プログラムが保存されるＲＯＭ、各種制御を行う場合の作業領域としてのＲＡＭ等を備えている。
この制御部１０には、時計２０、記憶部３０、チューナ部４０、通信制御部５０、出力部６０、入力部７０が接続されている。
【００１７】
時計２０は、時刻情報として現在の日時を年月日時分秒の単位で計測し、計測した時刻情報を制御部１０に供給する。時刻情報については、所定タイミング毎に供給するようにしてもよく、制御部１０からの要求に応じて供給するようにしてもよい。
本実施形態では、時計２０から供給される時刻情報は、録画予約がされている場合の録画開始、終了時間の確認や、視聴情報送信処理を開始する時刻の確認等に使用される。
【００１８】
記憶部３０は、ハードディスクや不揮発性メモリ等の各種記憶媒体で構成されている。この記憶部３０には、プログラム３１、チャンネルリスト３２、録画データ３３、その他のデータが保存される。
プログラム３１には、放送受信プログラム、通信制御プログラム、視聴情報送信プログラム、チャンネルリスト取得プログラムその他の各種プログラムが記憶される。
放送受信プログラムは、ユーザが選択した放送番組を視聴可能にするためにチューナ部４０や出力部６０を制御するプログラムである。
通信制御プログラムは、視聴情報やチャンネルリストに関してチャンネルリスト提供サーバと通信をしたり、端末装置９０やその他外部との通信をするために、通信制御部５０を制御するプログラムである。
視聴情報送信プログラムは、ユーザがＴＶ放送を視聴していない所定の時間帯に、オートサーチ機能により受信可能な各物理チャンネルの電波強度を検出してチャンネルリストを更新するとともに、各物理チャンネル毎の電波強度を視聴情報としてチャンネルリスト提供サーバ８０にアップする処理を行うためのプログラムである。
チャンネルリスト取得プログラムは、放送受信装置１を最初に使用する場合やリセット処理がされた後に、チャンネルリスト提供サーバ８０から放送受信装置１の位置に対応したチャンネルリストを取得したり、受信している電波強度が低下した場合にチャンネルリスト提供サーバ８０から新しいチャンネルリストを取得したりする処理を行うためのプログラムである。
【００１９】
その他のプログラムとしては、例えば、放送受信装置１や他の通信機器から送信される静止画等の受信及び保存を行うとともに、入力操作に従い保存した画像をスライドショーとして順次表示するスライドショープログラム、さらに、端末装置９０に受信した放送データをリアルタイムで転送したり、録画データを端末装置９０に転送する転送処理プログラム等がある。
なお、記憶部３０に保存される各種プログラムについては、通信により適宜バージョンアップ可能に構成されているが、その全体又は一部（機能部分）をＲＯＭに保存するようにしてもよい。
【００２０】
チャンネルリスト３２は、放送受信装置１が存在する位置における、各論理チャンネルに対する物理チャンネルの対応、及び、各物理チャンネルの電波強度を保存し、チャンネルリスト提供サーバ８０から受信したリストが使用される。
図３は、チャンネルリスト３２の内容を表したものである。
図３に示すように、チャンネルリスト３２には、基地局ＩＤ、各論理チャンネル（ＣＨ１、ＣＨ２、…）に対する物理チャンネルとその電波強度が保存されている。
基地局ＩＤは、放送受信装置１で３Ｇ／４Ｇ通信が行われる基地局のＩＤで、３Ｇ／４Ｇ通信を行った際の通信データから取得する。この基地局ＩＤは、放送受信装置１が存在する位置情報として機能している。
論理チャンネルＣＨ１、ＣＨ２、…は、リモコン操作により視聴を希望する放送局を指定する際のチャンネル番号に対応した番号である。
【００２１】
物理チャンネルは、地デジのテレビ放送の場合ｃｈ１３〜ｃｈ６２の５０チャンネルが存在し、各物理チャンネルにはそれぞれ対応する放送周波数が決められている。そして、放送データが送信されるテレビ塔（送信局、中継局）毎に、テレビのリモコンチャンネル（論理チャンネル）に対して、物理チャンネルが割り当てられている。
チャンネルリスト３２に保存される物理チャンネルは、基地局ＩＤに対応する領域内において、各論理チャンネルの放送データを受信可能な各物理チャンネルのうち、最も電波強度が強い物理チャンネルであり、チャンネルリスト提供サーバ８０が当該領域内に存在する複数の放送受信装置１から受信する視聴情報に基づいて決定される。
【００２２】
チャンネルリスト３２における電波強度は、各物理チャンネルで受信する放送データの電波強度である。この電波強度は、チャンネルリスト提供サーバ８０から受信したチャンネルリストでは、受信時における各物理チャンネルの最も強い電波強度が含まれているが、この電波強度は放送受信装置１で各チャンネルの視聴を行う毎に実際の電波強度が更新される。
【００２３】
録画データ３３は、録画予約された番組を含め、受信した放送データが保存される。
録画された放送データは、放送受信装置１で視聴可能であると共に、通信制御部５０からＷｉ−Ｆｉ通信で送信することにより予め登録された所定の端末装置９０でも視聴可能である。
記憶部３０に保存されるその他のデータとしては、スライドショーで使用される画像データとしての静止画像や動画像の画像データ等がある。この画像データは、端末装置９０や携帯電話等の外部装置から受信する場合のほか、放送受信装置１が備える撮像装置（カメラ）で撮像する場合が含まれる。画像データが静止画像である場合には、スライドショーとして画像データが順次表示、送信される。
【００２４】
チューナ部４０は、各種放送データを受信するアンテナ（本実施形態ではテレビアンテナ４１）が接続されている。チューナ部４０は、テレビアンテナ４１を介して受信した放送データのうち、ユーザがリモコン等で選局したＣＨ（論理チャンネル）が割り当てられている物理チャンネルをチャンネルリスト３２で確認し、当該物理チャンネルの周波数により、指定された番組の放送データをＬＣＤ６１、スピーカ６２に出力して視聴可能にする。制御部１０は、視聴可能になった放送データを出力部６０に出力し、また、端末装置９０に転送し、録画データ３３に保存する。
【００２５】
通信制御部５０は、各種外部機器との間で所定の規格に応じた通信を行うための制御部であり、本実施形態では３Ｇ又は／及び４Ｇ通信用の３Ｇ／４Ｇアンテナ５１と、Ｗｉ−Ｆｉ通信用のＷｉ−Ｆｉアンテナ５２が接続されている。
本実施形態の通信制御部５０では、制御部１０による制御のもと、チャンネルリスト提供サーバ８０と３Ｇ／４Ｇ通信を行うことで、視聴情報、チャンネルリスト等の各種データの送受信が行われる。
放送受信装置１の制御部１０は、各種サーバや装置との間で３Ｇ／４Ｇ通信を基地局を介して行い、この通信におけるデータから放送受信装置１と無線接続される基地局の基地局ＩＤを取得する。
【００２６】
出力部６０は、ＬＣＤ６１とスピーカ６２を備えている。
ＬＣＤ６１は、受信した放送データ、録画データ、スライドショー等の画像を表示する液晶表示装置である。ＬＣＤ６１は、放送受信装置１の各種機能に応じて必要な各種操作を行うための操作キーを画像表示する。
スピーカ６２は、受信した放送データや録画データなどの音声を出力する音声出力装置である。
この本実施形態のスピーカ６２からは、録画予約や視聴予約を行う際にＬＣＤ６１に表示される操作画面に対応した、設定操作の音声ガイダンスが出力されるが、音声ガイダンス機能は搭載しないことも可能である。
【００２７】
入力部７０は、各種設定操作を行うための入力装置として、本体キー７１、リモコン７２、タッチパネル７３、図示しないマイク等を備えている。
本体キー７１は、各種入力、選択操作を行うための操作キーとして、ＴＶ選択キー、メニューキー、戻るキー、ＯＫキー、上下左右方向の各移動キーが、ＬＣＤ６１側の本体面に配置されている。また、図示しないが、本体キー７１として、電源のオンオフを行う電源キーが本体側面に配設されている。
リモコン７２は、近距離無線通信により放送受信装置１の入力操作を行う入力機器である。
タッチパネル７３は、ＬＣＤ６１の表面に配置される入力機器で、ＬＣＤ６１に画面表示された各種操作キーに対応した、ユーザのタッチ位置を特定し、当該タッチ位置に対応して表示された操作キーの入力を受け付ける。
なお、放送受信装置１が備える撮像装置（カメラ）で動画を撮像する場合用に、入力部７０は、音声を入力するためのマイク（図示しない）を備えている。この本実施形態の放送受信装置１には存在しない機能ではあるが、３Ｇ／４Ｇ通信を使用し、携帯電話やスマートフォンなどの外部機器との間で通話を行う通話機能を搭載するようにしてもよい。この場合には、マイクが通話用のマイクとしても使用される。
【００２８】
次に、チャンネルリスト提供サーバ８０の構成について説明する。
図４は、チャンネルリスト提供サーバ８０の構成を表したものである。
チャンネルリスト提供サーバ８０は、その構成としてＣＰＵ、ＲＯＭ、ＲＡＭを備えた制御部８１、基地局を介して放送受信装置１との間で３Ｇ／４Ｇ通信や通話機能を実現するための通信部制御８２、ＬＣＤやスピーカ等の出力部と各種設定操作を行うための入力装置からなる入出力部８３、記憶部８４を備えている。
制御部８１は、ＣＰＵがＲＡＭを作業領域として、後述する記憶部８４やＲＯＭに格納された各種プログラムを実行することで、チャンネルマップの作成や、チャンネルリストの提供等の各種処理を行う。
【００２９】
記憶部８４は、ハードディスクや不揮発性メモリ等の各種記憶媒体で構成されている。この記憶部８４には、プログラム８４１、視聴情報ＤＢ（データベース）８４２、チャンネルリストマップ８４３、その他のデータが保存される。
プログラム８４１には、基地局を介して複数の放送受信装置１との間で３Ｇ／４Ｇ通信を行う通信制御プログラム、複数の放送受信装置１から送信される視聴情報を蓄積し、各特定地域毎のチャンネルリストを作成するチャンネルリストマップ作成プログラム、作成したチャンネルリストを放送受信装置１に送信するチャンネルリスト提供プログラム、その他の各種プログラムが記憶される。
なお、プログラム８４１に保存される各種プログラムについては、通信により適宜バージョンアップ可能に構成されているが、その全体又は一部（機能部分）をＲＯＭに保存するようにしてもよい。
【００３０】
視聴情報ＤＢ８４２には、複数の放送受信装置１から受信する視聴情報が順次蓄積される。視聴情報には、放送受信装置１の基地局ＩＤと、当該放送受信装置１で受信した各放送データの物理チャンネルとその電波強度、及び、各物理チャンネルが対応付けられている論理チャンネル（リモコンのチャンネル）が含まれている。放送受信装置１は、受信可能な全ての物理チャンネルに対して電波強度を測定するようになっているので、同一の論理チャンネルに対して複数の異なる物理チャンネルとその電波強度が含まれる場合がある。
受信した視聴情報は、物理チャンネルとその電波強度が、各基地局ＩＤ毎の、対応する論理チャンネル毎に、視聴情報の受信日時と共に保存される。
【００３１】
図５は、チャンネルリストマップ８４３の内容を表したものである。
チャンネルリストマップ８４３は、各基地局ＩＤで特定される基地局の通信範囲を特定地域とし、当該特定地域における、各論理チャンネルに対して受信すべき最適な物理チャンネルの対応、及び、各物理チャンネルの電波強度が保存される。
図５に示すように、チャンネルリストマップ８４３には、基地局ＩＤ（Ｋ０１、Ｋ０２、…）毎に、各論理チャンネル（ＣＨ１、ＣＨ２、…）に対する物理チャンネルとその電波強度が保存されている。
チャンネルリストマップ８４３は、各論理チャンネルに対する最適な物理チャンネルとその電波強度が、視聴情報ＤＢ８４２に基づいて所定のタイミングで更新される。
すなわち、各基地局ＩＤにおける、特定の論理チャンネルに対して受信可能な物理チャンネルが複数ある場合には、それらの物理チャンネルにより受信する放送データの電波強度が最も高い物理チャンネルとし、受信可能な物理チャンネルが１つの場合には当該物理チャンネルとなる。論理チャンネルにおける各物理チャンネルの電波強度は、視聴情報ＤＢ８４２に保存されている当該物理チャンネルの電波強度の平均値が使用される。但し、平均値の算出対象となる視聴情報ＤＢ８４２を、所定期間、例えば、過去１年間としてもよい。
【００３２】
次に、以上の通り構成された、放送受信装置１とチャンネルリスト提供サーバ８０により、各放送受信装置１で最適なチャンネルリストを取得するための各種動作について説明する。
図６は、チャンネルリストマップ作成処理を表したフローチャートである。
このチャンネルリストマップ作成処理は、複数の放送受信装置１が所定タイミングで視聴情報を作成してサーバに送信し、チャンネルリスト提供サーバ８０は受信した視聴情報を蓄積するとともにチャンネルリストマップの作成、更新を行う。
なお、以下の各フローチャートでは、放送受信装置１の動作フローを「テレビ」、チャンネルリスト提供サーバ８０の動作フローを「サーバ」と表記する。
【００３３】
放送受信装置１（テレビ）の制御部１０は、時計２０から供給される時間により視聴情報送信周期か否かを監視している（ステップ１０）。この視聴情報送信周期については、ユーザが放送受信装置１でテレビ放送を視聴していない時間帯が選択され、デフォルトの値として毎日午前２時が視聴情報送信周期の開始時刻に設定されている。制御部１０は、開始時刻（午前２時）になったか否かを監視している。
【００３４】
但し、この午前２時に視聴するユーザも存在するため、この視聴情報送信周期に視聴が開始された場合には、ただちに放送受信装置１におけるチャンネルリストマップ作成処理を中止してユーザの視聴を優先するようになっている。
また、視聴情報送信周期での視聴が行われる場合、制御部１０は、ユーザが放送データを視聴していない時間を所定期間（例えば、１週間）調査（記録）をし、所定時間Ｔ以上の非視聴時間が継続する時間帯を求め、その時間帯内に視聴情報送信周期を変更する。ここで、所定時間Ｔは、放送受信装置１でのチャンネルリストマップ作成処理に必要な所定時間をｔとした場合に、Ｔ＝ｔ＋αである。
所定時間Ｔ以上の非視聴の時間帯が存在しない場合には、調査期間内において所定時間Ｔ以上の非視聴である時間帯が多い時間帯内に視聴情報送信周期を変更する。そして、この時間帯において視聴が開始された段階で、ただちに放送受信装置１におけるチャンネルリストマップ作成処理を中止する。
なお、チャンネルリストマップ作成処理中において、放送データの視聴が開始された場合に、ただちにチャンネルリストマップ作成処理を中断し、視聴が終了した後に再開するようにしてもよい。
【００３５】
視聴情報送信周期（開始時刻）になった場合（ステップ１０；Ｙ）、制御部１０は、各種サーバや装置との間で行われた３Ｇ／４Ｇ通信のデータから放送受信装置１と無線接続される基地局の基地局ＩＤを取得し、ＲＡＭの所定領域に保存する（ステップ１１）。
そして、制御部１０は、オートサーチ機能により、当該放送受信装置１の位置において受信可能な全ての物理チャンネルについて、その電波強度を取得する（ステップ１２〜ステップ１４）。
すなわち、制御部１０は、チューナ部４０を切り替えることで、１の物理チャンネルの放送データを受信し、そのチャンネル情報（当該物理チャンネルと、当該物理チャンネル割り当てられている論理チャンネルを特定可能な情報）を取得する（ステップ１２）。また、制御部１０は、当該物理チャンネルの電波強度を取得する（ステップ１３）。なお、制御部１０は、ステップ１２、１３で取得した物理チャンネル、論理チャンネル、電波強度は関連付けてＲＡＭに保存する。
【００３６】
そして、受信可能な全ての物理チャンネルについて、チャンネル情報と電波強度を取得したか否かを確認し（ステップ１４）、未取得の他チャンネルがあれば（ステップ１４；Ｎ）、制御部１０はステップ１２に戻って処理を継続する。
全ての物理チャンネルについてチャンネル情報と電波強度の取得が終了している場合（ステップ１４；Ｙ）、制御部１０は、基地局ＩＤと、各物理チャンネルに対するチャンネル情報と電波強度を視聴情報としてチャンネルリスト提供サーバ８０にアップし（ステップ１５）、放送受信装置１による処理を終了する。
【００３７】
なお、制御部１０は、視聴情報周期において取得した視聴情報に基づいて、図３に示したチャンネルリスト３２の電波強度を更新するようにしてもよい。
また、同一の論理チャンネルに対して、異なる物理チャンネルでの放送データを受信した場合には、電波強度が最も強かった物理チャンネルを判定し、当該物理チャンネルが、チャンネルリスト３２の論理チャンネルに対応する物理チャンネルと異なる場合には、物理チャンネルも更新するようにしてもよい。
【００３８】
一方、チャンネルリスト提供サーバ８０の制御部８１は、各放送受信装置１から送信される視聴情報を取得したか否かを監視している（ステップ２１）。視聴情報を受信した場合（ステップ２１；Ｙ）、制御部８１は、取得した視聴情報から基地局ＩＤを読み出し、基地局ＩＤ毎に視聴情報を保存することで視聴情報ＤＢ８４２を更新する（ステップ２２）。この際に、受信日時も関連つけて保存するようにしてもよい。
【００３９】
次に、チャンネルリスト提供サーバ８０の制御部８１は、更新した視聴情報ＤＢ８４２に基づき、チャンネルリスト作成、更新を行う（ステップ２３）。
すなわち、制御部８１は、視聴情報ＤＢ８４２に蓄積された視聴情報に基づき、各論理チャンネルに対する最も電波強度が強い物理チャンネルの決定を各基地局ＩＤ毎に行う。各物理チャンネルの電波強度は、視聴情報ＤＢ８４２に保存されている当該物理チャンネルの電波強度の平均値が使用される。電波強度については、全データから平均値を求めるが、過去所定期間（例えば、ｎヶ月）の平均値を算出するようにしてもよい。この場合、制御部８１は、さらに受信日時も加えて視聴情報ＤＢ８４２の保存対象として更新する（ステップ２２）。
本実施形態では制御部８１がチャンネルリストの更新を放送受信装置１から視聴情報を受信する毎に行うが、所定期間毎（例えば、１日一回）に行うようにしてもよい。また、放送受信装置１にデフォルトで設定されている視聴情報送信周期が経過した後に行うようにしてもよい。
【００４０】
以上説明したように、各放送受信装置１は、オートサーチ機能により、当該放送受信装置１の位置で受信可能な全ての物理チャンネルとその電波強度を取得し、当該放送受信装置１が存在する領域を示す基地局ＩＤと共に視聴情報としてチャンネルリスト提供サーバ８０にアップロードする。このオートサーチの実行は、テレビ放送の視聴がされていない時間において行われるため、ユーザによる放送データの視聴を妨げることがない。
そして、チャンネルリスト提供サーバ８０は、複数の放送受信装置１から蓄積した視聴情報から、各基地局ＩＤに対応した領域における、最適なチャンネルリスト、すなわち、各論理チャンネルの放送データを最も強い電波強度で受信することができる物理チャンネルのリストをチャンネルリストマップ８４３として作成、更新することができる。
ここで、放送受信装置１の位置として、郵便番号や都道府県等の受信地域を単位とするのではなく、またテレビ塔１、２、…による放送データの送信範囲（２０ｋｍ以上）よりも狭い領域である、３Ｇ／４Ｇ通信による基地局の通信領域（５ｋｍ程度）単位（基地局ＩＤ単位）でチャンネルリストを作成しているので、放送受信装置１の位置に応じた、より適切なチャンネルリストを放送受信装置１に提供することができる。
【００４１】
なお、説明した実施形態では、後述するように、テレビ放送の視聴中において、当該視聴している物理チャンネルの電波強度を取得してチャンネルリスト３２を更新している。
そこで、ユーザが視聴していない視聴情報送信周期において、受信可能な物理チャンネルの全てについてのチャンネルサーチを行う場合について説明したが、前回から今回の視聴情報送信周期までの間に、視聴により電波強度が更新されている物理チャンネルを除いてチャンネルサーチを行うようにしてもよい。
【００４２】
次に、初期状態の放送受信装置１によるチャンネルリスト取得処理について説明する。
図７は、チャンネルリスト取得処理（初期）のフローチャートである。
放送受信装置１（テレビ）の制御部１０は、記憶部３０にチャンネルリスト３２が設定済みか否かを判断し（ステップ３１）、設定済みであれば（ステップ３１；Ｙ）、処理を終了する。
一方、チャンネルリスト３２が未設定である場合（ステップ３１；Ｎ）、制御部１０は、放送受信装置１が初期状態にあると判断して、３Ｇ／４Ｇ通信で無線接続される基地局の基地局ＩＤを取得し、ＲＡＭの所定領域に保存する（ステップ３２）。
ここで、放送受信装置１が初期状態にある場合としては、放送受信装置１が購入後最初に使用される場合や使用途中で各種設定のリセット処理が行われた場合が該当する。
【００４３】
次に制御部１０は、チャンネルリストの取得方法をユーザに確認する（ステップ３３）。すなわち制御部１０は、チャンネルリストの取得方法の選択肢として、チャンネルリスト提供サーバ８０の選択ボタンと、チャンネルサーチの選択ボタンをＬＣＤ６１に表示する。
ユーザによりチャンネルリスト提供サーバ８０からの取得が選択された場合（ステップ３４；Ｙ）、制御部１０は、チャンネルリスト提供サーバ８０に対して、ＲＡＭに記憶した基地局ＩＤと共にチャンネルリストの送信を要求する（ステップ３５）。
【００４４】
チャンネルリスト提供サーバ８０の制御部８１は、放送受信装置１からチャンネルリストが要求されたか否かを監視している（ステップ４１）。
チャンネルリストの要求があると（ステップ４１；Ｙ）、制御部８１は、要求と共に送信される基地局ＩＤを取得し、当該基地局ＩＤに対応したチャンネルリストが記憶部８４のチャンネルリストマップ８４３に存在するか否かを判断すする（ステップ４２）。
基地局ＩＤ対応のチャンネルリストが存在しない場合（ステップ４２；Ｎ）、制御部８１は、放送受信装置１に対して「なし」を応答する（ステップ４３）。
一方、基地局ＩＤ対応のチャンネルリストが存在する場合（ステップ４２；Ｙ）、制御部８１は、放送受信装置１に対する応答として、基地局ＩＤ対応のチャンネルリストをチャンネルリストマップ８４３から読み出して送信する（ステップ４４）。
【００４５】
放送受信装置１の制御部１０は、チャンネルリストの要求（ステップ３５）に応じて、チャンネルリスト提供サーバ８０からの応答を受信し（ステップ３６）、応答にチャンネルリストがあるか否かを確認する（ステップ３７）。
応答がチャンネルリスト「なし」である場合（ステップ３７；Ｎ）、及び、ユーザがチャンネルサーチを選択した場合（ステップ３４；Ｎ）、制御部１０は、従来と同様に、オートサーチ機能によりチャンネルサーチを行い（ステップ３８）、各論理チャンネルに対して電波強度が最も強い物理チャンネルと電波強度をチャンネルリスト３２に保存する（ステップ３９）。
一方、チャンネルリストありの場合（ステップ３７；Ｙ）、制御部１０は、当該チャンネルリストをチャンネルリスト３２に保存する（ステップ３９）。
【００４６】
以上説明したように、初期状態にある放送受信装置１は、ユーザの選択により、チャンネルリスト提供サーバ８０から自装置位置（領域内）における、最適なチャンネルリストを取得することができる。
これにより、放送受信装置１は、初期状態においてただちにチャンネルリストを取得することで、チャンネルサーチを実行することなく、ただちに取得したチャンネルリストに従ってテレビ放送（放送データ）の視聴を行うことが可能になる。
【００４７】
なお、図７に従って説明したチャンネルリスト取得処理では、初期状態の場合にチャンネルリスト提供サーバ８０からチャンネルリストを取得するか、または、チャンネルサーチを行うかをユーザに問い合わせる場合について説明した。
これに対して、初期状態である場合（ステップ３１；Ｎ）には、自動的にチャンネルリスト提供サーバ８０からチャンネルリストを取得するようにしてもよい。この場合には図７のステップ３３とステップ３４の処理は不要である。
【００４８】
次に、放送受信装置１でテレビ放送を視聴中において電波強度が悪化した場合の処理について説明する。
放送受信装置１は、同一の物理チャンネルに対して受信するテレビ放送（放送データ）の電波強度が変化するので、放送受信装置１の制御部１０は、後述するように視聴しているテレビ放送の電波強度を取得してチャンネルリスト３２の該当物理チャンネルの電波強度を更新している。
そして放送受信装置１の移動や環境変化などの原因により、電波強度が所定以下に悪化する場合がある。環境変化としては放送受信装置１の設置箇所の周辺に新たな建築物が建てられた場合等がある。また、放送受信装置１の移動としては、家の引っ越しや所有者の変更等により放送受信装置１の設置場所が変わった場合、同一家屋内であるが別の部屋に放送受信装置１が移動された場合、更に、放送受信装置１が車両内に配置されることで移動する場合等がある。
このように受信するテレビ放送の電波強度が悪化した場合、制御部１０は、チャンネルリスト提供サーバ８０から最新のチャンネルリストを取得してチャンネルリスト３２を更新する。特に、車両に搭載された放送受信装置１は車両の移動にともない、現状の物理チャンネルでは更に電波強度が悪化して視聴不可能になる可能性があるため、視聴不可になる前にチャンネルリストを更新する必要がある。
【００４９】
図８は、電波強度が悪化した場合のチャンネルリスト取得処理のフローチャートである。
放送受信装置１は、視聴のために受信している物理チャンネルの電波強度が所定値以下に悪化したか否かを監視している（ステップ５１）。ここで、電波強度が悪化したか否かを判断する電波強度の所定値Ｔｈは、当該物理チャンネルの視聴が出来なくなる（テレビ放送が写らなくなる）電波強度をＰ（ｄＢｕＶ）とした場合、Ｔｈ＝Ｐ＋αである。αは視聴可能な状態で、新たなチャンネルリストの取得を開始するための値であり、例えば、５（ｄＢｕＶ）が設定されているが、画像の乱れが発生する前に早めにチャンネルリストを変更したい場合を考慮して、ユーザにより変更可能にしてもよい。
本実施形態の放送受信装置１は、フルセグによる視聴及びワンセグによる視聴が可能であり、電波強度が２９（ｄＢｕＶ）以下になった場合にフルセグからワンセグに自動的に切り替わるようになっている。このため、Ｐの値として、ワンセグの視聴ができなくなる電波強度、すなわち、ワンセグの受信状態から圏外に切り替わる電波強度である１４（ｄＢｕＶ）が設定されている。
但し、ワンセグの視聴ができない放送受信装置１である場合や、ワンセグでの視聴は可能であるがユーザが望まない場合（この場合にはユーザによる設定が必要である）、フルセグでの視聴ができなくなる電波強度２９（ｄＢｕＶ）がＰに設定される。
【００５０】
放送受信装置１の制御部１０は、電波強度が所定値Ｔｈ以下に悪化した場合（ステップ５１；Ｙ）、基地局ＩＤを取得しＲＡＭに保存する（ステップ５２）。
次に制御部１０は、取得した基地局ＩＤとチャンネルリスト３２に保存されている基地局ＩＤとを比較することで、３Ｇ／４Ｇ通信を行う基地局が変化したか否かを判断する（ステップ５３）。
基地局が変化した場合、すなわち、両基地局ＩＤが一致しない場合（ステップ５３；Ｙ）、放送受信装置１の制御部１０は、ステップ５２で取得した基地局ＩＤと共にチャンネルリストの要求をチャンネルリスト提供サーバ８０に送信する。
【００５１】
なお図８のフローチャートでは、ステップ５３で基地局が変化した場合にチャンネルリストを要求する。このステップ５３の判断は、放送受信装置１が車両などに搭載されて移動する場合に特に有効である。
これに対してステップ５３の処理なしで、基地局変化を判断せずにチャンネルリストを要求するようにしてもよい。この場合、同一基地局ＩＤの領域内であっても、新たに建設された建築物などの影響や、同一の家屋内で別の部屋に放送受信装置１を移動した場合などが原因で電波強度が悪化した場合にも対応が可能である。
【００５２】
放送受信装置１からのチャンネルリストの要求の受信に対して、チャンネルリスト提供サーバ８０の制御部８１は、ステップ６１〜ステップ６４の処理により放送受信装置１に対して所定の応答を返すが、この処理は図７で説明したステップ４１〜４４の処理と同一であるため説明を省略する。
【００５３】
放送受信装置１の制御部１０は、チャンネルリストの要求（ステップ５４）に応じて、チャンネルリスト提供サーバ８０からの応答を受信し（ステップ５５）、応答にチャンネルリストがあるか否かを確認する（ステップ５６）。
制御部１０は、応答がチャンネルリスト「なし」である場合（ステップ５６；Ｎ）は処理を終了し、チャンネルリストありの場合（ステップ５６；Ｙ）、当該チャンネルリストにチャンネルリスト３２を上書きすることで更新する（ステップ５７）。
【００５４】
図９は、放送受信装置１の記憶部３０に保存されているチャンネルリスト３２の変遷について、放送受信装置１の位置が移動した場合について表したものである。
図９（ａ）は、一例として初期状態において図７で説明した処理によりチャンネルリスト提供サーバ８０から受信し保存したチャンネルリスト３２を表したものである。このチャンネルリスト３２では、放送受信装置１が基地局ＩＤ＝Ｋ０３の基地局の通信範囲内にあり、論理チャンネルＣＨ１のテレビ放送（放送データ）を物理チャンネルｃｈ５１で受信し最新に視聴した際の電波強度が４０.９（ｄＢｕＶ）、論理チャンネルＣＨ２の物理チャンネルがｃｈ３９で電波強度が４０.５（ｄＢｕＶ）、…となっている。
【００５５】
図９（ｂ）は、その後、各論理チャンネルの視聴をユーザが行った後の状態を示している。
放送受信装置１は、テレビ放送を視聴する毎に、所定タイミングで電波強度を取得し、該当するテレビ放送の物理チャンネルの電波強度を更新する。電波強度を取得し更新する所定のタイミングとしては、例えば、受信開始時と、それ以降所定時間ｎ（ｎ＝３０分）毎である。
図９（ｂ）では、論理チャンネルＣＨ１、物理チャンネルｃｈ５１の電波強度は、当初４０.９（ｄＢｕＶ）であったのが、その後に視聴した際に取得した最新の電波強度は４０.０（ｄＢｕＶ）に更新されている。
【００５６】
ここで放送受信装置１で論理チャンネルＣＨ２（物理チャンネルｃｈ３９）のテレビ放送を視聴している際に、放送受信装置１の位置が基地局ＩＤ＝Ｋ０３の範囲内からＫ０２の範囲内に移動したものとする。
しかし、この場合も放送受信装置１のチャンネルリスト３２は基地局ＩＤ＝Ｋ０３に対する最適なチャンネルリストのままである。このため、放送受信装置１の移動に伴い、視聴中の物理チャンネルｃｈ３９の電波強度が低下し、図９（ｂ）に示すように、当該テレビ放送の電波強度が１９（ｄＢｕＶ）となった場合、制御部１０は、電波強度が所定値Ｔｈ（＝１９（ｄＢｕＶ））に悪化したと判断し（図８、ステップ５１；Ｙ参照）、現在の基地局ＩＤ＝Ｋ０３と共にチャンネルリストの要求をチャンネルリスト提供サーバ８０に送信する（ステップ５４）。
【００５７】
図９（ｃ）は、このチャンネルリスト要求に基づいて、チャンネルリスト提供サーバ８０から受信し上書きした（図８、ステップ５７参照）、現在の基地局ＩＤ＝Ｋ０２に対応する新たなチャンネルリスト３２である。
図９（ａ）に示すように、基地局ＩＤ＝Ｋ０３における論理チャンネルＣＨに対する物理チャンネルｃｈは、それぞれＣＨ１＝ｃｈ５１、ＣＨ２＝ｃｈ３９、ＣＨ３＝ｃｈ３０、…である。
これに対して、新たに受信し更新した基地局ＩＤ＝Ｋ０２に対するチャンネルリスト３２では、図９（ｃ）に示すように、それぞれＣＨ１＝ｃｈ２７、ＣＨ２＝ｃｈ２６、ＣＨ３＝ｃｈ３０、…に変更されている。
放送受信装置１の制御部１０は、更新された新たなチャンネルリスト３２に従い、それまで物理チャンネルｃｈ３９で受信していた論理チャンネルＣＨ２のテレビ放送を、新たな物理チャンネルｃｈ２６に切り替えて受信することになる。これにより、視聴中のテレビ放送を中断することなく継続して視聴することができる。
【００５８】
次に、第２実施形態について説明する。
これまでに説明した第１実施形態では、チャンネルリスト提供サーバ８０に対するチャンネルリストの要求は、放送受信装置１の制御部１０による新規状態や電波強度悪化といった状況変化の判断に基づいていた。
これに対して第２実施形態では、第１実施形態に変えて、又は追加して、チャンネルリスト提供サーバ８０が、チャンネルリストを要求するか否かの判断情報を放送受信装置１に提供するものである。
すなわち、チャンネルリスト提供サーバ８０のチャンネルリストマップ８４３が更新され、特定チャンネルリストの論理チャンネルに対する物理チャンネルが変化した場合、放送受信装置１に対して３Ｇ／４Ｇを経由したＳＭＳ等で更新した基地局ＩＤを通知する。
一方、放送受信装置１は、受信したＳＭＳ等の本文を解析し、更新対象の基地局ＩＤが、現在３Ｇ／４Ｇ接続している基地局の基地局ＩＤであった場合のみ、チャンネルリスト提供サーバ８０にチャンネルリストを要求する。
【００５９】
図１０は、第２実施形態による、チャンネルリスト提供サーバ８０からの問合せに基づくチャンネルリスト提供のフローチャートである。
この第２実施形態においても、図６で説明したように、チャンネルリスト提供サーバ８０の制御部８１は、放送受信装置１から送信される視聴情報に基づいて所定タイミングでチャンネルリストマップ８４３を更新している（ステップ２３）。
そして、チャンネルリスト提供サーバ８０の制御部８１は、チャンネルリストマップ８４３の物理チャンネルが変化したか否かを監視している（ステップ８１）。すなわち、制御部８１は、順次蓄積される視聴情報ＤＢ８４２の変化により、特定論理チャンネルのテレビ放送を受信した場合に最も電波強度が強い物理チャンネルが変わり、チャンネルリストマップ８４３の当該論理チャンネルに対する物理チャンネルが変化したか否かを監視している。
【００６０】
物理チャンネルが変化した場合（ステップ８１；Ｙ）、制御部８１は、変化した物理チャンネルに対するチャンネルリストの基地局ＩＤを、３Ｇ／４Ｇを経由したＥ−ｍａｉｌ又はＳＭＳ（ショートメッセージサービス）で、当該基地局ＩＤに対応するチャンネルリストを保存している放送受信装置１に送信（チャンネルリストが更新されたことを報知）する（ステップ８２）。
なお、制御部８１は、図６〜図８の各処理で説明した、放送受信装置１からの送信がされる毎に、当該放送受信装置１とその基地局ＩＤをユーザデータとして保存しておく。このユーザデータには、放送受信装置１のメールアドレス又は／及びＳＭＳ用の電話番号が保存される。
但し、変化した物理チャンネルに対応する基地局ＩＤを、当該基地局ＩＤと通信領域が接している、又は、所定距離以内にある他の基地局の基地局ＩＤに対応するチャンネルリストを保存している放送受信装置１まで対象を広げて送信するようにしてもよい。更に、全ての放送受信装置１を対象に、変化した物理チャンネルに対応する基地局ＩＤを送信するようにしてもよい。
【００６１】
一方、放送受信装置１の制御部１０は、変化した物理チャンネルに対応する基地局ＩＤを内容とするＳＭＳ等をチャンネルリスト提供サーバ８０から受信したか否かを監視している（ステップ７１）。
チャンネルリスト提供サーバ８０からのＳＭＳ等を受信した場合（ステップ７１；Ｙ）、制御部１０は、受信したＳＭＳのメッセージや本文を解析して基地局ＩＤを取得する（ステップ７２）。
制御部１０は、ＳＭＳ等から取得した基地局ＩＤがチャンネルリスト３２の基地局ＩＤと同一か否かを判断し（ステップ７３）、両基地局ＩＤが異なる場合（ステップ７３；Ｎ）、自装置のチャンネルリスト３２は更新対象ではないので処理を終了する。
両基地局ＩＤが同一である場合（ステップ７３；Ｙ）、制御部１０は、記憶部３０のチャンネルリスト３２を更新する必要があるので、チャンネルリスト提供サーバ８０に対して、基地局ＩＤと共にチャンネルリストの要求を送信する（ステップ５４）。
【００６２】
放送受信装置１からのチャンネルリストの要求の受信に対して、チャンネルリスト提供サーバ８０の制御部８１は、ステップ６１〜ステップ６４の処理により放送受信装置１に対して所定の応答を返すが、この処理は図７で説明したステップ４１〜４４の処理（図８のステップ６１〜６４の処理）と同一である。
また、チャンネルリスト提供サーバ８０からの応答に対する、放送受信装置１の制御部１０の処理（ステップ５５〜５７）は、図８で説明したステップ５５〜ステップ５７と同一である。
【００６３】
なお、説明した各実施形態では、図８、図１０のステップ５７の処理として、チャンネルリスト提供サーバ８０から受信したチャンネルリストでチャンネルリスト３２を上書きする場合について説明した。
これに対して、制御部１０は、チャンネルリスト提供サーバ８０から取得したチャンネルリストと、現在使用中のチャンネルリスト３２の論理チャンネル毎に、対応する物理チャンネルの電波強度を比較し、電波強度が高い方の物理チャンネルのみ更新するようにしてもよい。
例えば、論理チャンネルＣＨ２に対し、チャンネルリスト３２では物理チャンネルｃｈ３９がその電波強度がＶ１（ｄＢｕＶ）であるのに対し、チャンネルリスト提供サーバ８０から取得したチャンネルリストでは物理チャンネルがｃｈ２６でその電波強度がＶ２（ｄＢｕＶ）であるものとする。この場合制御部１０は、両電波強度を比較し、Ｖ１≧Ｖ２であれば、論理チャンネルＣＨ２の物理チャンネルを更新せずｃｈ３９のままとし、Ｖ１＜Ｖ２であれば論理チャンネルＣＨ２の物理チャンネルをｃｈ３９からｃｈ２６に更新するとともに、電波強度もＶ２に更新する。
【符号の説明】
【００６４】
１  放送受信装置
１０  制御部
２０  時計
３０  記憶部
３１  プログラム
３２  チャンネルリスト
３３  録画データ
４０  チューナ部
４１  テレビアンテナ
５０  通信制御部
５１  ３Ｇ／４Ｇアンテナ
５２  Ｗｉ−Ｆｉアンテナ
６０  出力部
６１  ＬＣＤ
６２  スピーカ
７０  入力部
８０  チャンネルリスト提供サーバ
８１  制御部
８２  通信制御部
８３  入出力部
８４  記憶部
８４１  プログラム
８４２  視聴情報ＤＢ
８４３  チャンネルリストマップ
９０  端末装置
【図１】
0006543172.tif 000002
【図２】
0006543172.tif 000003
【図３】
0006543172.tif 000004
【図４】
0006543172.tif 000005
【図５】
0006543172.tif 000006
【図６】
0006543172.tif 000007
【図７】
0006543172.tif 000008
【図８】
0006543172.tif 000009
【図９】
0006543172.tif 000010
【図１０】
0006543172.tif 000011
【図１１】
0006543172.tif 000012